(57)【要約】  面（２６）上に立つ個人の足（２４）の前方部分と後方部分との間の重量配分を決定するための装置（１０）。装置（１０）は、外側の弾力あるハウジング（１２）および少なくとも１つの内側チャンバ（１４）を有する圧縮可能な細長い本体部材（１１）を含む。少なくとも１つの内側チャンバ（１４）は、その内部に位置する膨張手段（２２）を含み、本体部材（１１）は、個人の足（２４）の土踏まずと面（２６）との間に位置するように構成される。膨張手段（２２）は、本体部材（１１）が個人の足（２４）の前方部分（２８）と後方部分（３０）との間の回転中心を提供するように膨らまされる。【選択図】図３ａ
2010525849.tif 000002
【特許請求の範囲】
【請求項１】
面上に立つ個人の足の前方部分と後方部分との間の重量配分を決定するための装置であって、前記装置は、以下を含む：
外側の弾力あるハウジングおよび少なくとも１つの内側チャンバを有する圧縮可能な細長い本体部材；および
前記少なくとも１つの内側チャンバ内に位置する膨張手段であって、前記本体部材は、個人の足の土踏まずと前記面との間に位置するように構成でき、前記膨張手段は、前記本体部材が前記個人の足の前記前方部分と前記後方部分との間の回転中心を提供するように膨らますことができる、膨張手段。
【請求項２】
請求項１に記載の重量配分を決定するための装置であって、前記装置は、前記足の前記前方部分と前記後方部分との間の前記重量配分を測定するための重量配分測定手段をさらに含む。
【請求項３】
請求項２に記載の重量配分を決定するための装置において、前記重量配分測定手段が、前記足の前記前方部分と前記後方部分との間の重量配分を表示するための表示手段を含む。
【請求項４】
請求項２または請求項３に記載の重量配分を決定するための装置において、前記重量配分測定手段が、前記個人の足の前記前方部分と前記後方部分との間の前記重量配分があらかじめ決められた範囲から逸脱する場合に、信号を生成するための信号生成手段を含む。
【請求項５】
請求項１〜４のいずれか１項記載の重量配分を決定するための装置において、前記膨張手段が、膨張可能な空気袋を含む。
【請求項６】
請求項１〜５のいずれか１項記載の重量配分を決定するための装置において、前記本体部材が、各々の内側チャンバが内部に位置する膨張手段を含む、２つの別個の内側チャンバを含む。
【請求項７】
請求項６に記載の重量配分を決定するための装置において、前記本体部材が、前記装置が前記個人の両足の下に配置されることができるために充分な長さを有する。
【請求項８】
請求項６または請求項７に記載の重量配分を決定するための装置において、前記装置が、各々の足の前記前方部分と前記後方部分との間の前記重量配分を測定するための重量配分測定手段を含む。
【請求項９】
請求項１〜５のいずれか１項記載の装置を含む履物であって、前記装置は、前記履物の靴底と前記面との間に位置する。
【請求項１０】
請求項９に記載の履物において、前記装置が、前記個人の足の土踏まずの下に位置する。
【請求項１１】
請求項９または請求項１０に記載の履物において、前記装置が、前記履物と一体的に形成されている。
【発明の詳細な説明】
【技術分野】
【０００１】
本発明は、重量配分の決定装置、特に、しかし限定することなく、スポーツに使用するための重量配分の決定装置に関する。
【背景技術】
【０００２】
多くのスポーツ活動（例えばゴルフ、スキー、アーチェリ等）は、個人に、例えば、各々の足の踵とつま先との間で均一な重量配分を有することを要求する。しかしながら、肉体がその重量配分を感覚で気付くことは困難であるため、個人は、彼らの体重が均一に配分されるかどうかを確認することができない。
【発明の概要】
【０００３】
圧力プラットホームのような装置が、個人の重量配分を表示するために典型的に用いられる。この種の装置は、個人の重量配分を正確に決定することができる反面、それらが個人に、データ提示（すなわち数値、図表、グラフ等）によって情報を提供することのみができるという点で、限界がある。したがって、自らの重量配分が均一にバランスするように修正することを望む個人は、彼らのスタンス（または姿勢）に増分調整をして、そして、装置が新しい重量配分を計算して彼らに対して表示するのを待つという、面倒で時間のかかるプロセスを経験しなければならない。
【０００４】
さらにまた、この種の圧力プラットホームは、個人にとって高価で、容易に利用できるものではない。
【０００５】
本発明の目的は、上記で言及される不利な点の１つ以上を取り除くかまたは軽減する重量配分の決定装置を提供することである。
【課題を解決するための手段】
【０００６】
本発明の第１の態様によれば、面（ｓｕｒｆａｃｅ）上に立つ個人の足の前方部分と後方部分との間の重量配分を決定するための装置が提供され、この装置は、以下を含む：外側の弾力あるハウジングおよび内側チャンバを有する圧縮可能な（ｃｏｍｐｒｅｓｓｉｂｌｅ）細長い本体部材；および内側チャンバ内に位置する膨張手段であって、使用中に、本体部材は、個人の足の土踏まずと面との間に位置するように構成され、そして膨張手段は、本体部材が個人の足の前方部分と後方部分との間の回転中心を提供するように膨らまされる、膨張手段。
【０００７】
好ましくは、装置は、足の前方部分と後方部分との間の重量配分を測定するための重量配分測定手段をさらに含む。
【０００８】
好ましくは、重量配分測定手段は、膨張手段の内部の圧力を測定する。
【０００９】
好ましくは、重量配分測定手段は、足の前方部分と後方部分との間の重量配分を表示するための表示手段を含む。
【００１０】
好ましくは、表示手段は、数字表示を含む。
【００１１】
好ましくは、重量配分測定手段は、個人の足の前方部分と後方部分との間の重量配分があらかじめ決められた範囲から逸脱する場合に、信号を生成するための信号生成手段を含む。
【００１２】
好ましくは、信号生成手段は、個人の足の前方部分と後方部分との間の重量配分があらかじめ決められた範囲から逸脱する場合に、可聴信号を生成する。より好ましくは、信号生成手段は、個人の足の前方部分と後方部分との間の重量配分があらかじめ決められた範囲から逸脱する場合に、可視信号を生成する。
【００１３】
好ましくは、膨張手段は、膨張可能な空気袋を含む。
【００１４】
好ましくは、本体部材は、平坦な基底部を含む。
【００１５】
好ましくは、基底部は、堅い。
【００１６】
好ましくは、基底部は、ゴムで造られる。より好ましくは、基底部は、プラスチックで造られる。
【００１７】
好ましくは、基底部は、１つ以上の把持部分を含む。
【００１８】
好ましくは、本体部材は、防護カバーを含む。
【００１９】
好ましくは、防護カバーは、ポリ塩化ビニルから造られる。
【００２０】
好ましくは、本体部材は、個人の両足の下に配置されることができるための充分な長さを有する。
【００２１】
好ましくは、本体部材は、各々のチャンバがその内部に位置する膨張手段を含む、２つの別個の内側チャンバを含む。
【００２２】
好ましくは、装置は、各々の足の前方部分と後方部分との間の重量配分を測定するための重量配分測定手段を含む。
【００２３】
好ましくは、各々の重量配分測定手段は、膨張手段の内部の圧力を測定する。
【００２４】
好ましくは、各々の重量配分測定手段は、足の前方部分と後方部分との間の重量配分を表示するための表示手段を含む。
【００２５】
好ましくは、各々の表示手段は、数字表示を含む。
【００２６】
好ましくは、各々の重量配分測定手段は、個人の足の前方部分と後方部分との間の重量配分があらかじめ決められた範囲から逸脱する場合に、信号を生成するための信号生成手段を含む。
【００２７】
好ましくは、信号生成手段は、個人の足の前方部分と後方部分との間の重量配分があらかじめ決められた範囲から逸脱する場合に、可聴信号を生成する。より好ましくは、信号生成手段は、個人の足の前方部分と後方部分との間の重量配分があらかじめ決められた範囲から逸脱する場合に、可視信号を生成する。
【００２８】
本発明の第２の態様によれば、第１の態様による装置を含む履物が提供される。そこにおいて、装置は、履物（ａｒｔｉｃｌｅ  ｏｆ  ｆｏｏｔｗｅａｒ）の靴底と面との間に位置する。
【図面の簡単な説明】
【００２９】
本発明の実施形態が、例えば、添付図面を参照して記述される。
【図１】図１は、面上に立つ個人の足の前方部分と後方部分との間の重量配分を決定するための装置の後側斜視図である。
【図２】図２は、図１の装置の端面から見た断面図である。
【図３ａ】図３ａは、図１の装置の使用中の斜視図である。
【図３ｂ】図３ｂは、図１の装置の使用中の斜視図である。
【図３ｃ】図３ｃは、図１の装置の使用中の斜視図である。
【発明を実施するための形態】
【００３０】
図１および図２は、面上に立つ個人の足の前方部分と後方部分との間の重量配分を決定するための装置１０を示す。
【００３１】
装置１０は、外側の弾力あるハウジング１２および内側チャンバ１４を有する圧縮可能な細長い本体部材１１を有する。
【００３２】
外側の弾力あるハウジング１２は、内側チャンバ１４を規定する。ハウジング１２は、曲がった外側上面１６および実質的に平坦な基底部１８を有する。基底部は、外側上面１６に向かって上方へ延びる長手方向リップ１８ａを有する。長手方向リップ１８ａは、装置１０に余分の剛性を提供する。
【００３３】
外側上面１６は、防護カバー２０が設けられてもよい。装置１０が水などを通さないように、防護カバー２０は、ポリ塩化ビニル（ＰＶＣ）から造られてもよい。ハウジング１２は、発泡材料から造られる。けれども、ハウジングが他の任意の適切な弾性材料（例えばゴム等）から造られてもよいことが理解されるべきである。
【００３４】
基底部１８は、ハウジング１２に剛性を提供する実質的に剛性材料から造られる。基底部１８は、ゴム材料から造られてもよいし、またはゴムの外側被膜を有してもよい。あるいは、基底部１８は、プラスチック材料から造られてもよい。ゴム材料によって、装置１０は、表面を掴むことができる。基底部１８は、ゴム材料に成形される多くの溝の形態で、１つ以上の把持部分（図示せず）を有する。
【００３５】
内側チャンバ１４はまた、細長くて、ハウジング１２の長さにわたって延びてもよい。
【００３６】
内側チャンバ１４の内部には、膨張可能な空気袋２２（膨張手段の例）が位置する。空気袋２２は、従来の方法で空気袋を膨らますのに用いるバルブ（図示せず）を含む。空気袋２２はまた、空気袋２２から加圧空気を逃すための従来の排気バルブを含む。
【００３７】
図３ａ〜図３ｃを参照すると、使用中に、本体部材１１は、個人の足２４の土踏まずと個人が立つ面２６との間に位置するように構成される。位置に着くと、本体部材１１が個人の足２４の前方部分２８と後方部分３０との間の回転中心を提供するように、空気袋２２が充分な圧力にまで膨らまされる。
【００３８】
空気袋２２は、個人が、その足２４の前方部分２８または後方部分３０のいずれか一方が面２６と接触している場合、あるいは前方部分２８および後方部分３０の両方が面２６と接触している場合、を決定することができる圧力まで膨らまされる。装置１０は従って、立っている間、それらの重量配分上の運動感覚フィードバックを個人に提供することができる。
【００３９】
個人の足２４の前方部分２８および後方部分３０の両方が面２６と接触している場合、重量はその間で均一に配分されて、そして、バランスの中心は、足２４の土踏まずの直下に沿ってある。図３ｂおよび３ｃは、個人の重量配分が、それぞれ、足２４の前方部分２８の方にある状態、および足２４の後方部分３０の方にある状態を示す。図３ａは、個人の足２４の前方部分２８および後方部分３０が面２６と接触している状態を示す。
【００４０】
装置１０が充分な長さを有することによって、個人は、装置１０の上に両足で立つことができる。この場合、装置１０は、個人の両足の前方部分２８と後方部分３０との間に回転中心を提供する。したがって、装置１０によって、個人は、彼らの体重がいつ両足の前方部分２８と後方部分３０との間に均一に配分されるかについて決定することができる。
【００４１】
装置１０は、長さが好ましくは９５０ｍｍである。但し、個人の要求条件（すなわち装置１０が用いられている活動のタイプ）に応じて、装置１０がこれより短くても長くてもよいことが理解されるべきである。
【００４２】
ゴルフのようなスポーツにおいて、スイング前およびスイング中に、両足の前方部分２８と後方部分３０との間に実質的に均一な重量配分を維持することは、重要である。装置１０の上に立つ個人は、したがって、彼らのゴルフスイングを実践することができて、スイング前およびスイング中に彼らの重量配分を決定することができる。装置１０により提供されるフィードバックによって、ユーザは、均一でない重量配分に対して修正することができ、したがって、彼らは、より矛盾のないスイングを達成することができる。
【００４３】
装置１０は、さらに、足２４の前方部分２８と後方部分３０との間の重量配分を測定する重量配分測定手段（図示せず）を含む。重量配分測定手段は、空気袋２２の内部の空気の圧力を測定する。
【００４４】
重量配分測定手段は、足２４の前方部分２８と後方部分３０との間の重量配分を示すための表示手段を含む。表示手段は、数字表示を含んでもよい。
【００４５】
重量配分測定手段は、個人の足の前方部分２８と後方部分３０との間の重量配分があらかじめ決められた範囲（すなわち４０％と６０％との間）から逸脱する場合に、信号を生成するための信号生成手段も含む。重量配分がこの範囲から逸脱する場合、信号生成手段は個人に対する可聴信号を生成する。あるいは、信号生成手段は、個人に対する可視信号を生成する。いずれにしても、個人は、彼らの重量配分があらかじめ決められた受け入れ可能な値から逸脱したとの、そして、理想的な重量配分を維持するために彼らがそのスタンスを修正する必要があるとの、警報を出される。
【００４６】
装置１０は、したがって、運動（例えばゴルフスイング）の前とその最中に個人への運動感覚フィードバックを提供することによって、従来の提案の不利な点を取り除くかまたは軽減する。装置１０は、したがって、個人が装置１０からの連続したフィードバックを得るにつれて、彼らがその重量配分を決定するために試行錯誤的プロセスを行わなければならないことを回避する。ゴルフスイングの例において、個人は、装置１０を使用してスイングを実践することができて、そして、重量配分の任意の不均一に対して修正することができる。個人が一旦彼らのスイングを修正したら、彼らはもはや装置１０を使用する必要がない。さらに、装置１０は、安価であり、そして、スポーツ活動中に重量配分を改善することを希望する任意の個人が容易に利用できる。
【００４７】
本発明の範囲内において、修正および改善が、上記に対してなされてもよい。例えば、装置１０は、膨張可能な空気袋２２を内部に組み込む単一の内側チャンバ１４を含むとして上述されたけれども、装置１０が、各々が膨張可能な空気袋２２を内部に組み込む２つの内側チャンバ１４を含んでもよいことが理解されるべきである。この場合、装置１０は、各々の部分が個人の足の土踏まずの間に位置するように構成される、２つの別個の部分に分けられる。２つの別個の膨張可能な部分を有することによって、個人は、各々の内側チャンバ１４の圧力を特定の運動に適するように調整することができる。この場合、各々の内側チャンバ１４は、個人の足の前方部分と後方部分との間の重量配分を測定するための重量配分測定手段を含む。また、各々の重量配分測定手段は、各々の空気袋２２の内部の圧力を測定する。さらに、各々の重量配分測定手段は、足２４の前方部分２８と後方部分３０との間の重量配分を表示するための表示手段を含む。また、表示手段は、数字表示を含む。重量配分手段は、上述した通りに信号生成手段も含む。
【００４８】
装置１０は、最高１５０ｋｇの個人を支えることが可能に設計されている。しかしながら、装置１０が、より重い個人に適応するように構成されることができることが理解されるべきである。
【００４９】
さらに、装置１０は、ゴルフに関して使用されるとして上述されたけれども、装置１０が、個人が彼らの重量配分を知ることを要求する任意の活動、スポーツ、または別の面に利用されることができることが理解されるべきである。
【００５０】
また、装置１０の長さは、それが個人の一方または両方の足によって使われてもよいように構成されることができることが理解されるべきである。すなわち、装置１０は、片足だけによって使われる場合は短くてもよく、または、個人が脚をひらいて（例えばゴルフスイングのような）装置の上に立つことができるようにより長くてもよい。同様に、必要であれば、個人は、各々の足のための２つの別個の装置１０を使用してもよい。
【００５１】
さらにまた、装置１０は、個人が装置１０の上に彼らの片足または両足を配置すべき場所を示すマーカをさらに含む。
【００５２】
また、ハウジング１２の高さは、特定の種類の活動、スポーツ、または別の面に適するように構成されてもよい。例えば、ゴルフにおいて使用される場合、装置１０の高さは、ゴルフシューズのクリートを接触させられるように増加されてもよい。
【００５３】
さらに、装置１０は、本体部材がその上に個人が立つものとして図示されて、上述されたけれども、装置１０が履物（例えばゴルフシューズ）の中に組み込まれてもよいことが理解されるべきである。この場合、装置１０は、履物の靴底と面との間に位置する。より詳しくは、装置１０は、個人の足２４の土踏まずの下および面に位置する。装置１０は、履物と一体的に形成されていてもよい。この構成では、装置１０は、上述したのと同様に作動する。すなわち、個人の足２４の前方部分２８と後方部分３０との間に回転中心を提供する。また、装置１０は、まっすぐなものとして図示されて、上述されたけれども、装置１０が、特定の活動に適した任意の形状（例えば曲がっている等）に構成されてもよいことが理解されるべきである。
【図１】
2010525849.tif 000003
【図２】
2010525849.tif 000004
【図３ａ】
2010525849.tif 000005
【図３ｂ】
2010525849.tif 000006
【図３ｃ】
2010525849.tif 000007
【国際調査報告】
2010525849.tif 000008
2010525849.tif 000009
2010525849.tif 000010
2010525849.tif 000011
2010525849.tif 000012
2010525849.tif 000013